(57)【要約】カッテングプロッタのヘッド（３０）を、トンボプリント用のデータ記憶手段（８０）に記憶されたトンボの位置データを有効利用して、メディア（５０）表面のトンボがプリントされた箇所の上方又はその近くまで、無駄な時間をかけずにプラテン（２０）上に搭載されたメディア（５０）上方をＸ−Ｙ方向に相対的に迅速に移動させる。次いで、ヘッド（３０）を、ゆっくりと時間を掛けてメディア（５０）上方をＸ−Ｙ方向に相対的に移動させて、そのヘッド（３０）に装備された光学式読み取りセンサにより、メディア（５０）表面にプリントされたトンボを見落としなく確実に読み取る。そして、そのメディア（５０）表面にプリントされたトンボの位置の読み取りに要する時間を大幅に短縮する。
2005005112.tif 000002
【特許請求の範囲】
【請求項１】
プラテン上方をプラテン表面とほぼ平行にＸ−Ｙ方向に相対的に移動させるヘッドに装備された光学式センサを用いて読み取った、前記プラテン上に搭載されたメディア表面にプリントされたトンボの位置情報に基づいて、前記ヘッドをプラテン上方をＸ−Ｙ方向に相対的に移動させて、そのヘッドに装着されたカッタにより、前記プラテン上に搭載されたトンボがプリントされたメディア表面と同じメディア表面にプリントされた絵図又は／及び文字の輪郭をカットするカッテングプロッタにおいて、
絵図又は／及び文字プリント用のソフトウェアと同じソフトウェアを用いてメディア表面に前記絵図又は／及び文字と共にプリントされたトンボプリント用のデータ記憶手段に記憶されたトンボの位置データを検索する検索手段と、該検索手段により検索されたトンボの位置データに基づき、メディア表面にプリントされた前記絵図又は／及び文字の原点位置を示すトンボがプラテンの原点位置上又はその近くに重ね合わせられると共に、メディア表面にプリントされた前記絵図又は／及び文字のＸ−Ｙ軸がプラテンのＸ−Ｙ軸上又はその近くに重ね合わせられて、プラテン上に搭載されたメディア上方を、ヘッドをＸ−Ｙ方向に相対的に移動させて、そのヘッドをプラテン上に搭載されたメディア表面のトンボがプリントされた箇所の上方又はその近くまで移動させる移動手段と、該移動手段によりメディア表面のトンボがプリントされた箇所の上方又はその近くまで移動させたヘッドを、該ヘッドに装備された光学式センサがトンボを認識可能な速度で、プラテン上方をＸ−Ｙ方向に相対的に移動させて、そのヘッドに装備された光学式センサを用いて、メディア表面にプリントされたトンボの位置を読み取るトンボ読み取り手段とが備えられたことを特徴とする、カッテングプロッタ用のトンボ読み取り装置。
【請求項２】
請求の範囲１記載のトンボ読み取り装置を用いたトンボ読み取り方法であって、
前記カッテングプロッタのプラテン上に輪郭をカットする絵図又は／及び文字とトンボとが共にプリントされたメディアを搭載して、そのメディア表面にプリントされた前記絵図又は／及び文字の原点位置を示すトンボを前記プラテンの原点位置上又はその近くに重ね合わせると共に、そのメディア表面にプリントされた前記絵図又は／及び文字のＸ−Ｙ軸を前記プラテンのＸ−Ｙ軸上又はその近くに重ね合わせる第１ステップと、
前記検索手段により、カッテングプロッタにより輪郭をカットする絵図又は／及び文字プリント用のソフトウェアと同じソフトウェアを用いてメディア表面に前記絵図又は／及び文字と共にプリントされたトンボプリント用のデータ記憶手段に記憶されたトンボの位置データを検索する第２ステップと、
該検索手段により検索されたトンボの位置データに基づき、前記移動手段により、メディア表面にプリントされた前記絵図又は／及び文字の原点位置を示すトンボがプラテンの原点位置上又はその近くに重ね合わせられると共に、メディア表面にプリントされた前記絵図又は／及び文字のＸ−Ｙ軸がプラテンのＸ−Ｙ軸上又はその近くに重ね合わせられて、プラテン上に搭載された前記メディア上方を、ヘッドをＸ−Ｙ方向に相対的に移動させて、そのヘッドをプラテン上に搭載されたメディア表面のトンボがプリントされた箇所の上方又はその近くまで移動させる第３ステップと、
前記トンボ読み取り手段を用いて、前記移動手段によりメディア表面のトンボがプリントされた箇所の上方又はその近くまで移動させたヘッドを、該ヘッドに装備された光学式センサがトンボを認識可能な速度で、プラテン上方をＸ−Ｙ方向に相対的に移動させて、そのヘッドに装備された光学式センサを用いて、メディア表面にプリントされたトンボの位置を読み取る第４ステップとを含むことを特徴とする、カッテングプロッタ用のトンボ読み取り装置を用いたトンボ読み取り方法。
【発明の詳細な説明】
【技術分野】  本発明は、シート等のメディア表面にカッテングプロッタにより輪郭をカットする絵図又は／及び文字と共にプリントされたトンボ（位置合わせ用、位置決め用のしるし）の位置を読み取るための、カッテングプロッタ用のトンボ読み取り装置と、該装置を用いたトンボ読み取り方法とに関するものである。
【背景技術】  シート等のメディア表面にプリントされた絵図又は／及び文字の輪郭を自動的にカットするカッテングプロッタが周知である。
このカッテングプロッタにより、第４図に示したような、メディア５０表面にプリントされた絵図又は／及び文字の輪郭５４をカットする際には、そのプラテン上に搭載された絵図又は／及び文字５２がプリントされたメディア５０表面と同じメディア５０表面の四隅等にプリントされたトンボ５６の位置情報をカッテングプロッタのヘッドに装備された光学式センサを用いて読み取っている。そして、その光学式センサを用いて読み取ったトンボ５６の位置情報から、そのプラテン上に搭載されたメディア５０表面にプリントされた絵図又は／及び文字５２の原点位置やＸ−Ｙ（縦横）方向の傾きや伸びを、カッテングプロッタ駆動用のホストコンピュータに認識させている。そして、そのホストコンピュータに認識させたメディア５０表面にプリントされた絵図又は／及び文字５２の原点位置やＸ−Ｙ（縦横）方向の傾きや伸びの情報に合わせて、トンボ５６がプリントされたメディア５０表面と同じメディア５０表面にプリントされた絵図又は／及び文字の輪郭５４をカッテングプロッタによりカットしている。絵図又は／及び文字５２は、メディア５０表面にプリントされたトンボ５６の位置を規準にして、同じメディア５０表面にプリントされている。トンボ５６は、Ｌ字状、十字状等をした細線からなっている。
このメディア５０表面の四隅等にプリントされたトンボ５６の位置を、ヘッドに装備された光学式センサを用いて読み取る際には、カッテングプロッタのヘッドを、プラテン上方をプラテン表面とほぼ平行にＸ−Ｙ方向に相対的に移動させている。そして、そのヘッドに装備された光学式センサに、プラテン上に搭載されたメディア５０表面にプリントされたトンボ５６を認識させている。光学式センサは、発光素子と受光素子とを組み合わせて形成されていて、その発光素子から発せられた光を、メディア表面で反射させて、受光素子に受けられるようにしている。そして、その受光素子が受けた光量の変化をホストコンピュータの電子回路等により解析して、メディア５０表面にプリントされたトンボ５６の位置を読み取れるようにしている。
しかしながら、上記のようにして、メディア５０表面の四隅等にプリントされたトンボ５６の位置をヘッドに装備された光学式センサを用いて読み取る際には、多大な時間が掛かった。
その理由は、ヘッドに装備された光学式センサに、プラテン上に搭載されたメディア５０表面にプリントされた細線からなるトンボ５６を見落としなく確実に認識させようとすると、ヘッドをプラテン上方をゆっくりとした遅い速度でＸ−Ｙ方向に相対的に移動させる必要があるからである。そのために、その光学式センサが装備されたヘッドを、メディア５０表面のトンボ５６がプリントされた箇所の上方まで、プラテン上に搭載されたメディア５０上方をＸ−Ｙ方向に相対的に移動させるのに、多大な時間が掛かるからである。
その結果、カッテングプロッタを用いて、そのメディア５０表面にプリントされた絵図又は／及び文字の輪郭５４をカットするのに要する時間が、大幅に延びてしまった。
本発明は、このような課題を解消可能な、メディア表面にプリントされたトンボの位置を、ヘッドに装備された光学式センサを用いて、光学式読み取り手段により、時間を掛けずに見落としなく確実かつ迅速に読み取ることのできる、カッテングプロッタ用のトンボ読み取り装置（以下、単にトンボ読み取り装置という）と、該装置を用いて、メディア表面にプリントされたトンボの位置を、ヘッドに装備された光学式センサを用いて、光学式読み取り手段により、時間を掛けずに見落としなく確実かつ迅速に読み取ることのできる、カッテングプロッタ用のトンボ読み取り装置を用いたトンボ読み取り方法（以下、単にトンボ読み取り方法という）とを提供することを、目的としている。
【発明の開示】
このような目的を達成するために、本発明のトンボ読み取り装置は、
プラテン上方をプラテン表面とほぼ平行にＸ−Ｙ方向（縦横方向）に相対的に移動させるヘッドに装備された光学式センサを用いて読み取った、前記プラテン上に搭載されたメディア表面にプリントされたトンボの位置情報に基づいて、前記ヘッドをプラテン上方をＸ−Ｙ方向に相対的に移動させて、そのヘッドに装着されたカッタにより、前記プラテン上に搭載されたトンボがプリントされたメディア表面と同じメディア表面にプリントされた絵図又は／及び文字の輪郭をカットするカッテングプロッタにおいて、
カッテングプロッタを用いて輪郭をカットする絵図又は／及び文字プリント用のソフトウェアと同じソフトウェアを用いてメディア表面に前記絵図又は／及び文字と共にプリントされたトンボプリント用のデータ記憶手段に記憶されたトンボの位置データを検索する検索手段と、
その検索手段により検索されたトンボの位置データに基づき、メディア表面にプリントされた前記絵図又は／及び文字の原点位置を示すトンボがプラテンの原点位置上又はその近くに重ね合わせられると共に、メディア表面にプリントされた前記絵図又は／及び文字のＸ−Ｙ軸がプラテンのＸ−Ｙ軸上又はその近くに重ね合わせられて、プラテン上に搭載されたメディア上方を、カッテングプロッタのヘッドをＸ−Ｙ方向に相対的に移動させて、そのヘッドをプラテン上に搭載されたメディア表面のトンボがプリントされた箇所の上方又はその近くまで移動させる移動手段と、
その移動手段によりメディア表面のトンボがプリントされた箇所の上方又はその近くまで移動させたヘッドを、該ヘッドに装備された光学式センサがトンボを認識可能な速度で、プラテン上方をＸ−Ｙ方向に相対的に移動させて、そのヘッドに装備された光学式センサを用いて、メディア表面にプリントされたトンボの位置を読み取るトンボ読み取り手段とが備えられたことを特徴としている。
また、本発明のトンボ読み取り装置を用いた、本発明のトンボ読み取り方法は、
本発明のトンボ読み取り装置が備えられたカッテングプロッタのプラテン上に輪郭をカットする絵図又は／及び文字とトンボとが共にプリントされたメディアを搭載して、そのメディア表面にプリントされた前記絵図又は／及び文字の原点位置を示すトンボを前記プラテンの原点位置上又はその近くに重ね合わせると共に、そのメディア表面にプリントされた前記絵図又は／及び文字のＸ−Ｙ軸を前記プラテンのＸ−Ｙ軸上又はその近くに重ね合わせる第１ステップと、
本発明のトンボ読み取り装置の検索手段により、カッテングプロッタにより輪郭をカットする絵図又は／及び文字プリント用のソフトウェアと同じソフトウェアを用いてメディア表面に前記絵図又は／及び文字と共にプリントされたトンボプリント用のデータ記憶手段に記憶されたトンボの位置データを検索する第２ステップと、
その検索手段により検索されたトンボの位置データに基づき、本発明のトンボ読み取り装置の移動手段により、メディア表面にプリントされた前記絵図又は／及び文字の原点位置を示すトンボがプラテンの原点位置上又はその近くに重ね合わせられると共に、メディア表面にプリントされた前記絵図又は／及び文字のＸ−Ｙ軸がプラテンのＸ−Ｙ軸上又はその近くに重ね合わせられて、プラテン上に搭載された前記メディア上方を、ヘッドをＸ−Ｙ方向に相対的に移動させて、そのヘッドをプラテン上に搭載されたメディア表面のトンボがプリントされた箇所の上方又はその近くまで移動させる第３ステップと、
本発明のトンボ読み取り装置のトンボ読み取り手段を用いて、前記移動手段によりメディア表面のトンボがプリントされた箇所の上方又はその近くまで移動させたヘッドを、該ヘッドに装備された光学式センサがトンボを認識可能な速度で、プラテン上方をＸ−Ｙ方向に相対的に移動させて、そのヘッドに装備された光学式センサを用いて、メディア表面にプリントされたトンボの位置を読み取る第４ステップとを含むことを特徴としている。
このような構成のトンボ読み取り装置を用いた、トンボ読み取り方法においては、
その第１ステップにおいて、トンボ読み取り装置が備えられたカッテングプロッタのプラテン上に輪郭をカットする絵図又は／及び文字とトンボとが共にプリントされたメディアを搭載して、そのメディア表面にプリントされた絵図又は／及び文字の原点位置を示すトンボを、カッテングプロッタのプラテンの原点位置上又はその近くに重ね合わせることができる。それと共に、そのメディア表面にプリントされた絵図又は／及び文字のＸ−Ｙ軸を、プラテンのＸ−Ｙ軸上又はその近くに重ね合わせることができる。即ち、そのメディア表面にプリントされた絵図又は／及び文字の原点位置を、カッテングプロッタのプラテン上の原点位置にほぼ一致させると共に、そのメディア表面にプリントされた絵図又は／及び文字のＸ−Ｙ軸を、カッテングプロッタのプラテン上のＸ−Ｙ軸にほぼ一致させることができる。
次いで、その第２ステップにおいて、トンボ読み取り装置の検索手段により、絵図又は／及び文字プリント用のソフトウェアと同じソフトウェアを用いてメディア表面に前記絵図又は／及び文字と共にプリントされたトンボプリント用のデータ記憶手段に記憶されたトンボの位置データを検索できる。
次いで、その第３ステップにおいて、その検索手段により検索されたトンボの位置データに基づき、トンボ読み取り装置の移動手段により、メディア表面にプリントされた前記絵図又は／及び文字の原点位置を示すトンボがプラテンの原点位置上又はその近くに重ね合わせられると共に、メディア表面にプリントされた前記絵図又は／及び文字のＸ−Ｙ軸がプラテンのＸ−Ｙ軸上又はその近くに重ね合わせられて、プラテン上に搭載されたメディア上方を、カッテングプロッタのヘッドをＸ−Ｙ方向に相対的に移動させて、そのヘッドをメディア表面のトンボがプリントされた箇所の上方又はその近くまで移動させることができる。その際には、カッテングプロッタのヘッドに装備された光学式センサにメディア表面にプリントされたトンボを認識させる必要がないため、カッテングプロッタのヘッドを、検索手段により検索されたトンボの位置データに基づき、プラテン上に搭載されたメディア表面のトンボがプリントされた箇所の上方又はその近くまで時間を掛けずにプラテン上方をＸ−Ｙ方向に相対的に高速で移動させることができる。
その後、その第４ステップにおいて、トンボ読み取り装置のトンボ読み取り手段を用いて、前記移動手段によりメディア表面のトンボがプリントされた箇所の上方又はその近くまで移動させたヘッドを、該ヘッドに装備された光学式センサがトンボを確実に認識可能なゆっくりとした速度で、プラテン上方を時間を掛けてゆっくりとＸ−Ｙ方向に相対的に移動させることができる。そして、そのヘッドに装備された光学式センサに、メディア表面にプリントされたトンボを見落としなく確実に認識させることができる。そして、その光学式センサの認識結果に基づき、トンボ読み取り装置のトンボ読み取り手段により、メディア表面にプリントされたトンボの位置を、常に見落としなく確実に読み取ることができる。
即ち、このトンボ読み取り装置を用いた、トンボ読み取り方法においては、カッテングプロッタのヘッドを、絵図又は／及び文字プリント用のソフトウェアと同じソフトウェアを用いてメディア表面に絵図又は／及び文字と共にプリントされたトンボプリント用のデータ記憶手段に記憶されたトンボの位置データを有効利用して、メディア表面のトンボがプリントされた箇所の上方又はその近くまで、無駄な時間をかけずにプラテン上方をＸ−Ｙ方向に相対的に迅速に移動させることができる。次いで、そのメディア表面のトンボがプリントされた箇所の上方又はその近くまで移動させたヘッドを、そのヘッドに装備された光学式センサを用いてメディア表面にプリントされたトンボを確実に認識可能な速度で、ゆっくりと時間を掛けてプラテン上に搭載されたメディア上方をＸ−Ｙ方向に相対的に移動させることができる。そして、そのヘッドに装備された光学式センサを用いて、トンボ読み取り手段により、メディア表面にプリントされたトンボの位置を見落としなく確実に読み取ることができる。その結果、そのメディア表面にプリントされたトンボの位置の読み取りに要する時間を大幅に短縮可能となる。
【図面の簡単な説明】  第１図は本発明のトンボ読み取り装置が備えられたカッテングプロッタの概略構造説明図であり、第２図は本発明のトンボ読み取り装置が備えられたカッテングプロッタのプラテン周辺の一部拡大斜視図であり、第３図は本発明のトンボ読み取り装置が備えられたカッテングプロッタのヘッド周辺の拡大構造説明図である。第４図は輪郭をカットする絵図又は／及び文字とトンボとが共にプリントされたメディアの平面図である。
【発明を実施するための最良の形態】  次に、本発明を実施するための最良の形態を、図面に従って説明する。
第１図と第２図には、ヘッド３０をプラテン２０上方をプラテン２０表面とほぼ平行なＸ−Ｙ方向に相対的に移動させて、そのヘッド３０に装着されたカッタ４０により、プラテン２０上に搭載されたメディア５０表面にプリントされた絵図又は／及び文字の輪郭５４をカットする、カッテングプロッタが示されている。
このカッテングプロッタのヘッド３０には、第３図に示したように、ＬＥＤ（Ｌｉｇｈｔ−Ｅｍｉｔｔｉｎｇ  Ｄｉｏｄｅ）等の発光素子６２とフォトダイオード等の受光素子６４とを組み合わせて形成された光学式センサ６０が装備されている。そして、その発光素子６２から発せられた光を、プラテン２０上に搭載されたメディア５０表面で反射させて、受光素子６４に受けられるようにしている。そして、その受光素子６４が受けた光量の変化をカッテングプロッタ駆動用のホストコンピュータの電子回路等からなる解析手段（図示せず）により解析して、プラテン２０上に搭載された第４図に示したようなメディア５０表面に絵図又は／及び文字５２と共にプリントされた細線からなるＬ字状、十字状等をしたトンボ５６の位置を読み取れるようにしている。
このカッテングプロッタにおいては、そのヘッド３０に装備された光学式センサ６０を用いて読み取った、プラテン２０上に搭載されたシート等のメディア５０表面に絵図又は／及び文字５２と共にプリントされたトンボ５６の位置情報に基づいて、カッテングプロッタ駆動用のホストコンピュータ（図示せず）を用いて、ヘッド３０をプラテン２０上に搭載されたメディア５０上方をＸ−Ｙ方向に相対的に移動させることができるようにしている。具体的には、図２に示したように、そのトンボ５６の位置情報に基づいて、メディア５０表面にプリントされた絵図又は／及び文字５２の原点位置や、メディア５０表面にプリントされた絵図又は／及び文字５２のＸ−Ｙ方向の伸びや傾きの情報を得ることができるようにしている。そして、それらのメディア５０表面にプリントされた絵図又は／及び文字５２の原点位置やＸ−Ｙ方向の伸びや傾きの情報に合わせて、メディア５０をプラテン２０上を前後方向に当たるＸ方向に移動させたり、ヘッド３０をプラテン２０上に搭載されたメディア５０上方を左右方向に当たるＹ方向に移動させたりできるようにしている。そして、第４図に示したようなメディア５０表面にプリントされた絵図又は／及び文字の輪郭５４を、ヘッド３０に装着されたカッタ４０により正確にカットできるようにしている。
以上の構成は、従来のカッテングプロッタと同様であるが、第１図ないし第３図に示したカッテングプロッタにおいては、該カッティングプロッタとは別個に設けられる等したプリンタにより、絵図又は／及び文字プリント用のデザイン作成やイラスト作成用、ＣＡＤ図面作成用等のソフトウェアと同じソフトウェアを用いて、メディア５０表面に絵図又は／及び文字５２と共にプリントされたトンボプリント用のデータ記憶手段８０に記憶されたトンボ５６の位置データを検索する検索手段１００が備えられている。データ記憶手段８０及び検索手段１００は、プリンタ駆動用のホストコンピュータと共有のカッテングプロッタ駆動用のホストコンピュータのメモリ素子や電子回路等から構成されている。
また、その検索手段１００により検索されたトンボ５６の位置データに基づき、メディア５０表面にプリントされた絵図又は／及び文字５２の原点位置を示すトンボ５６がプラテン２０の原点位置上又はその近くに重ね合わせられると共に、メディア５０表面にプリントされた絵図又は／及び文字５２のＸ−Ｙ軸がプラテン２０のＸ−Ｙ軸上又はその近くに重ね合わせられて、プラテン２０上に搭載されたメディア５０上方を、カッテングプロッタのヘッド３０をＸ−Ｙ方向に相対的に移動させて、そのヘッド３０をプラテン２０上に搭載されたメディア５０表面のトンボ５６がプリントされた箇所の上方又はその近くまで移動させる移動手段１１０が備えられている。移動手段１１０は、ヘッド３０駆動用の電動モータ（図示せず）、プラテン２０上をメディア５０をＸ方向に移動させる送りローラ９２、押えローラ９４及び電動モータ９６等を組み合わせてなるメディア移送手段９０、並びにそれらを駆動制御するホストコンピュータの電子回路（図示せず）等から構成されている。
さらに、その移動手段１１０によりメディア５０表面のトンボ５６がプリントされた箇所の上方又はその近くまで移動させたヘッド３０を、該ヘッドに装備された光学式センサ６０がトンボ５６を確実に認識可能なゆっくりとした速度で、プラテン２０上方をＸ−Ｙ方向に相対的に移動させて、そのヘッド３０に装備された光学式センサ６０を用いて、プラテン２０上に搭載されたメディア５０表面にプリントされたトンボ５６の位置を読み取るトンボ読み取り手段１２０が備えられている。トンボ読み取り手段１２０は、ヘッド３０駆動用の電動モータ、プラテン２０上をメディア５０をＸ方向に移動させるメディア移送手段９０、それらを駆動制御するホストコンピュータの電子回路（図示せず）、並びにヘッド３０に装備された光学式センサ６０、該センサの受光素子６４に受けた光量の変化を解析して、メディア５０表面にプリントされたトンボ５６の位置を読み取るホストコンピュータの電子回路（図示せず）等から構成されている。
第１図ないし第３図に示したカッテングプロッタに備えられたトンボ読み取り装置は、以上のように構成されている。
次に、この第１図ないし第３図に示したトンボ読み取り装置を用いた、本発明のトンボ読み取り方法の好適な実施の形態を説明する。
本発明のトンボ読み取り方法においては、その第１ステップにおいて、トンボ読み取り装置が備えられたカッテングプロッタのプラテン２０上に輪郭５４をカットする絵図又は／及び文字プリント用のソフトウェアと同じソフトウェアを用いてトンボ５６が絵図又は／及び文字５２と共にプリントされたメディア５０を搭載して、そのメディア５０表面にプリントされた絵図又は／及び文字５２の原点位置を示すトンボ５６を、プラテン２０の原点位置上又はその近くに重ね合わせると共に、そのメディア５０表面にプリントされた絵図又は／及び文字５２のＸ−Ｙ軸（原点位置を示すトンボ５６から該トンボの左又は右及び上又は下に位置するトンボ５６方向に伸びる軸）をプラテン５０のＸ−Ｙ軸（縦横軸）上又はその近くに重ね合わせている。
具体的には、カッテングプロッタとは別個に設けられる等したプリンタのプラテン上に搭載されて、輪郭５４をカットする絵図又は／及び文字５２とトンボ５６とが共に同じソフトウェアを用いてプリントされたメディア５０を、そのプリンタのプラテン上から、カッテングプロッタのプラテン２０上に搭載し直している。そして、カッテングプロッタに付設されたジョグキーを操作する等して、そのメディア５０をカッテングプロッタのプラテン２０上でＸ−Ｙ方向（縦横方向）に適宜量移動させている。そして、そのメディア５０表面にプリントされた絵図又は／及び文字５２の原点位置を示す、メディア５０表面の左下等にプリントされたトンボ５６を、カッテングプロッタのプラテン２０の原点位置上又はその近くに重ね合わせている。それと共に、そのメディア５０表面にプリントされた絵図又は／及び文字５２のＸ−Ｙ軸（原点位置を示すトンボ５６からメディア５０表面の右下と左上等にプリントされたトンボ５６方向に伸びる軸）を、プラテン５０のＸ−Ｙ軸（縦横軸）上又はその近くに重ね合わせている。
次いで、その第２ステップにおいて、トンボ読み取り装置の検索手段１００により、絵図又は／及び文字プリント用のソフトウェアと同じソフトウェアを用いて、第４図に示したような、メディア５０表面に絵図又は／及び文字５２と共にプリントされたトンボプリント用のデータ記憶手段８０に記憶されたトンボ５６の位置データを検索している。
次いで、その第３ステップにおいて、その検索手段１００により検索されたトンボ５６の位置データに基づき、トンボ読み取り装置の移動手段１１０により、メディア５０表面にプリントされた絵図又は／及び文字５２の原点位置を示すトンボ５６がプラテン２０の原点位置上又はその近くに重ね合わせられると共に、メディア５０表面にプリントされた絵図又は／及び文字５２のＸ−Ｙ軸がプラテン２０のＸ−Ｙ軸上又はその近くに重ね合わせられて、カッテングプロッタのプラテン２０上に搭載されたメディア５０上方を、カッテングプロッタのヘッド３０をプラテン２０表面とほぼ平行なＸ−Ｙ方向に相対的に移動させている。そして、そのヘッド３０を、プラテン２０上に搭載されたメディア５０表面のトンボ５６がプリントされた箇所の上方又はその近くまで移動させている。その際には、カッテングプロッタのヘッド３０に装備された光学式センサ６０にメディア５０表面にプリントされたトンボ５６を認識させる必要がないため、カッテングプロッタのヘッド３０を、検索手段１００により検索されたトンボ５６の位置データに基づき、プラテン２０上に搭載されたメディア５０表面のトンボ５６がプリントされた箇所の上方又はその近くまで時間を掛けずにプラテン２０上方をＸ−Ｙ方向に相対的に高速で移動させている。
その後、その第４ステップにおいて、トンボ読み取り装置のトンボ読み取り手段１２０を用いて、移動手段１１０によりメディア５０表面のトンボ５６がプリントされた箇所の上方又はその近くまで移動させたヘッド３０を、該ヘッドに装備された光学式センサ６０がトンボ５６を確実に認識可能なゆっくりとした速度で、プラテン２０上方を時間を掛けてゆっくりとＸ−Ｙ方向に相対的に移動させている。そして、そのヘッド３０に装備された光学式センサ６０に、メディア５０表面にプリントされたトンボ５６を見落としなく確実に認識させている。そして、その光学式センサ６０の認識結果に基づき、トンボ読み取り装置のトンボ読み取り手段１２０を構成しているホストコンピュータの電子回路等により、図４に示したような、メディア５０表面の四隅等にプリントされたトンボ５６の位置を、常に見落としなく確実に解析して、読み取っている。
図１ないし図３に示したトンボ読み取り装置を用いた本発明のトンボ読み取り方法は、以上の第１、第２、第３及び第４ステップからなっている。
このようにして、メディア５０表面の四隅等にプリントされたトンボ５６の位置を読み取った後には、そのトンボ５６の位置情報から得た、カッテングプロッタのプラテン２０上に搭載されたメディア５０表面にプリントされた絵図又は／及び文字５２の原点位置やＸ−Ｙ方向の傾きや伸びの正確な情報に合わせて、トンボプリント用のソフトウェアと同じソフトウェアを用いてメディア５０表面にトンボ５６と共にプリントされた絵図又は／及び文字プリント用のデータ記憶手段８０に記憶された絵図又は／及び文字５２の輪郭データに基づき、ホストコンピュータ（図示せず）によりカッテングプロッタを駆動させて、そのメディア５０表面にプリントされた絵図又は／及び文字の輪郭５４を正確にカットしている。
【産業上の利用可能性】  本発明のトンボ読み取り装置と該装置を用いたトンボ読み取り方法は、メディア表面にプリントされたシール用、ポスター用等の絵図又は／及び文字の輪郭を迅速かつ正確にカットするのに、有効利用可能である。
【図１】
2005005112.tif 000003
【図２】
2005005112.tif 000004
【図３】
2005005112.tif 000005
【図４】
2005005112.tif 000006
【国際調査報告】
2005005112.tif 000007
2005005112.tif 000008
2005005112.tif 000009